(57)【特許請求の範囲】
【請求項１】
燃料ガスと一次空気との混合気が供給される空間を有する環状のバーナボディと、このバーナボディの上面に載置され、周壁面に間隔を存して上記空間に通じる多数の炎孔を画成する環状のバーナキャップとを備え、このバーナキャップの内周縁部に下方にのびる筒部を垂設し、この筒部内からバーナキャップ上を通って二次空気が炎孔から噴出する混合気に供給されるようにしたコンロ用バーナであって、前記バーナキャップがアルミニウム製であるものにおいて、
前記バーナキャップの上面に、前記筒部上端を起点とし、ここから径方向外方へとのびる第１の突条が周方向に間隔を存して多数設けられ、前記バーナキャップの下面に、前記筒部から径方向外方へとのびる第２の突条が設けられていることを特徴とするコンロ用バーナ。
【請求項２】
前記第２の突条は、第１の突条相互の間に位置することを特徴とする請求項１記載のコンロ用バーナ。
【発明の詳細な説明】
【技術分野】
【０００１】
本発明は、ガスコンロに設けられるコンロ用バーナに関する。
【背景技術】
【０００２】
コンロ用バーナは、一般に、燃料ガスと一次空気との混合気が供給される空間を有する環状のバーナボディと、このバーナボディの上面に載置され、周壁面に間隔を存して上記空間に通じる多数の炎孔を画成する環状のバーナキャップとを備えている。そして、バーナボディの空間に供給された混合気が各炎孔から噴出すると共に、バーナキャップの内周縁部に下方にのびるように垂設された筒部内からバーナキャップ上を通って二次空気が炎孔から噴出する混合気に供給されて燃焼するようになっている。
【０００３】
ここで、バーナ燃焼時にはバーナキャップが高温となることから、従来のバーナキャップは耐熱性を有する真鍮等の金属の鋳造品または鍛造品で形成されていたが、近年では、低コスト化等の目的のため、アルミニウムの鋳造品が用いられるようになっている。
【０００４】
上記のようにバーナキャップとしてアルミニウムの鋳造品を用いた場合、真鍮等と比較してその融点が低いため、バーナキャップが融点以上に過熱されて溶けないようにする必要がある。そこで、二次空気がバーナキャップ上でその内周側から外周側に向けて導かれるように、各炎孔間の位置でバーナキャップの上面に導入溝を穿設することが特許文献１で知られている。このものでは、バーナ燃焼時に炎孔の近傍が最も加熱されるため、バーナキャップの上面中央からその外周端まで導入溝が穿設されている。
【０００５】
ところで、上記コンロ用バーナでは、バーナキャップの上方に円盤状のバーナカバーが上下方向の間隔を存して設けられ、調理時に煮こぼれが生じると、バーナカバーの上面で煮汁を受けることができるようになっている。然し、バーナカバーの上面から漏れ出した煮汁がバーナカバーの裏面を伝ってバーナキャップ上に落下する場合がある。このとき、上記特許文献１記載のようにバーナキャップを冷却していても、通常、バーナキャップの温度は煮汁の温度よりかなり高くなっているため、バーナキャップの上面に煮汁が落下すると、バーナキャップの上面が急冷されて熱収縮し、バーナキャップの外周側がバーナボディから離間する方向に反りが生じる。その結果、炎孔を画成するバーナボディの上面とバーナキャップの外周縁部の下面との間の上下方向の間隔が不均一となってコンロ用バーナを安定燃焼できないという問題がある。
【先行技術文献】
【特許文献】
【０００６】
【特許文献１】特許第３８１７０７５号公報
【発明の概要】
【発明が解決しようとする課題】
【０００７】
本発明は、以上の点に鑑み、バーナ燃焼時にアルミニウム製のバーナキャップが融点以上に過熱されることを防止する機能を有しながら、煮汁がバーナキャップの上面に落下したときでも反りを生じることがなく、常時安定燃焼が可能なコンロ用バーナを提供することをその課題とするものである。
【課題を解決するための手段】
【０００８】
上記課題を解決するために、本発明は、燃料ガスと一次空気との混合気が供給される空間を有する環状のバーナボディと、このバーナボディの上面に載置され、周壁面に間隔を存して上記空間に通じる多数の炎孔を画成する環状のバーナキャップとを備え、このバーナキャップの内周縁部に下方にのびる筒部を垂設し、この筒部内からバーナキャップ上を通って二次空気が炎孔から噴出する混合気に供給されるようにしたコンロ用バーナであって、前記バーナキャップがアルミニウム製であるものにおいて、前記バーナキャップの上面に、前記筒部上端を起点とし、ここから径方向外方へとのびる第１の突条が周方向に間隔を存して多数設けられ、前記バーナキャップの下面に、前記筒部から径方向外方へとのびる第２の突条が設けられていることを特徴とする。
【０００９】
本発明によれば、バーナキャップの上面に、筒部上端から径方向外方へとのびる第１の突条を設けたため、バーナ燃焼時にバーナキャップの筒部内から炎孔の上方へと流れる二次空気との接触面積が増加し、バーナキャップが融点以上に過熱されることを防止できる。そして、調理時に煮汁がバーナキャップの上面に落下し、バーナキャップの上面が急冷されて熱収縮しても、上記第１の各突条が補強リブとして機能することで、バーナキャップに反りが生じることを防止できる。その結果、炎孔を画成するバーナボディの上面とバーナキャップの外周縁部の下面との間の上下方向の間隔が略均一に保持され、第１の各突条相互の間隙を通って二次空気が炎孔の上方へと導かれることと相俟って常時安定燃焼させることが可能となる。
【００１０】
ここで、バーナキャップの反りを確実に防止するには、第１の突条がバーナキャップの径方向略中央部までのびていればよく、バーナキャップの外周端まで形成しておく必要はない。なお、バーナ燃焼時に炎孔の近傍が最も加熱されるが、アルミニウムは熱伝導性がよいため、第１の突条を形成した領域が冷却されていれば、この領域への熱引けにより炎孔の近傍も冷却され、融点以上に過熱されることはない。
【００１１】
また、本発明においては、前記バーナキャップの下面に、前記筒部から径方向外方へとのびる第２の突条が設けられていることが望ましい。これによれば、バーナボディの空間から炎孔へと流れる混合気との接触面積が増加し、バーナキャップが一層効率よく冷却されるようになる。更に、第２の突条が第１の突条と同様に補強リブとして機能し、バーナキャップの反りをより確実に防止できる。
【００１２】
この場合、前記第２の突条は、第１の突条相互の間に位置する構成を採用すれば、バーナキャップに温度むらが生じることを防止できてよい。
【図面の簡単な説明】
【００１３】
【図１】本発明の実施形態のコンロ用バーナをガスコンロに組み付けた状態で示す断面図。
【図２】図１に示すコンロ用バーナのバーナキャップを上側から見た斜視図。
【図３】図１に示すコンロ用バーナのバーナキャップを下側から見た斜視図。
【図４】図１に示すコンロ用バーナのバーナキャップにおいて第１及び第２の各突条の位置関係を示す平面図。
【発明を実施するための形態】
【００１４】
以下、図面を参照して本発明の実施形態のコンロ用バーナを説明する。図１を参照して、１は、ガスコンロのコンロ本体を示す。コンロ本体１の開口した上面には天板２が載置されている。天板２にはバーナ用開口２ａが開設され、上記バーナ用開口２ａを通して上方に突出するようにコンロ用バーナ３が設けられている。そして、バーナ用開口２ａの周囲には図示省略の五徳が配置され、この五徳に鍋等の調理容器を設置して加熱調理が行われる。
【００１５】
コンロ用バーナ３は、コンロ本体１内に設置される混合管３１と、混合管３１の下流端部に一体成形され、天板２のバーナ用開口２ａに挿設される環状のバーナボディ３２と、バーナボディ３２上に着脱自在に載置される環状のバーナキャップ３３とを備えている。
【００１６】
混合管３１の上流端にはガスノズル４が設けられ、このガスノズル４から混合管３１内に燃料ガスを噴出すると、燃料ガスと混合管３１の上流端から吸込まれる一次空気との混合気が混合管３１内で生成される。バーナボディ３２は、外筒部３２ａと、外筒部３２ａの下端から径方向内方に向けて斜め上方に立ち上がる環状の内板部３２ｂとを備え、混合管３１から混合気が、外筒部３２ａと内板部３２ｂとの間の空間へと供給される。また、外筒部３２ａの上端には、径方向内方でかつ斜め下方に向けて屈曲させたフランジ部３２ｃが形成され、内板部３２ｂの内周縁部には下方に屈曲するシール部３２ｄが形成されている。
【００１７】
バーナキャップ３３はアルミニウムの鋳造品である。バーナキャップ３３の下面外周部には、図２乃至図４に示すように、バーナボディ３２のフランジ部３２ｃに着座する筒壁部３３ａが形成されている。この筒壁部３３ａには、周方向の間隔を存して多数の溝３３ｂが形成されている。そして、バーナボディ３２上にバーナキャップ３３を載置すると、バーナキャップ３３の周壁面にこれらの溝３３ｂによって上記空間に通じる多数の炎孔が画成される。
【００１８】
また、バーナキャップ３３の内周縁部には、バーナボディ３２のシール部３２ｄに内嵌する嵌合筒部３３ｃが垂設されている。この場合、嵌合筒部３３ｃの下端は、シール部３２ｄの下方まで延出している。バーナキャップ３３の上面には、嵌合筒部３３ｃ上端から径方向外方へとのびる第１の突条３３ｄが周方向に間隔を存して多数設けられている。本実施形態では、バーナキャップ３３の上面に立設した後述のバーナカバー固定用の支持部３３ｇ相互の間に、等間隔で４本ずつ第１の突条３３ｄが形成されている。それに加えて、バーナキャップ３３の下面にも、嵌合筒部３３ｃから径方向外方へとのびる第２の突条３３ｅが多数設けられている。本実施形態では、第２の突条３３ｅは、第１の突条３３ｄ相互の間に位置するように形成されている。この場合、第１及び第２の各突条３３ｄ、３３ｅは、バーナキャップ３３の径方向略中央部まで延設されている。さらに、バーナキャップ３３の下面の周方向一箇所には、バーナボディ３２のフランジ部３２ｃの周方向一箇所に形成した切欠き部３２ｅに係合する位置決め用の突条３３ｆが形成されている。
【００１９】
他方、バーナキャップ３３の上面には、周方向に１２０度間隔で支持部３３ｇが立設されており、この支持部３３ｇの上端部には、バーナキャップ３３との間に通気間隙を画成すると共に、調理時に生じた調理器具からの煮汁がコンロ本体１内部に侵入することを防止する円盤状のバーナカバー３４が固定されている。この場合、バーナカバー３４の下面には、周方向に間隔を存して複数の爪片３４ａが垂設されており、支持部３３ｇで保持されるスナップリング５に爪片３４ａを係合することで、バーナカバー３４がバーナキャップ３３に固定される。また、バーナカバー３４には、後述の鍋底温度センサ６を挿通する孔部３４ｂが形成されている。
【００２０】
そして、混合管３１から、外筒部３２ａと内板部３２ｂとの間の空間へと供給された混合気がバーナキャップ３３の下面の下を通って各炎孔から噴出すると共に、嵌合筒部３３ｃの内周空間からバーナキャップ３３とバーナカバー３４との間の通気間隙を介して炎孔から噴出する混合気に二次空気が供給されて、コンロ用バーナ３が燃焼する。
【００２１】
コンロ用バーナ３には、調理容器の底面に当接してその温度を検知する鍋底温度センサ６と、バーナキャップの周囲に突設したターゲット３３ｈとの間で火花放電を行う点火プラグ７とが付設されている。鍋底温度センサ６は、バーナキャップ３３の嵌合筒部３３ｃの内周空間とバーナカバー３４の孔部３４ｂとを通ってバーナカバー３４の上方に突出している。さらに、バーナ用開口２ａの周縁とバーナボディ３２との間の隙間から煮汁がコンロ本体１内に落下することを防止するため、この隙間を閉塞するカバーリング８がバーナボディ３２に外挿されている。
【００２２】
以上説明したように、本実施形態のコンロ用バーナ３では、バーナキャップ３３の上面に第１の突条３３ｄを多数設けると共に、バーナキャップ３３の下面にも第２の突条３３ｅを多数設けたため、バーナ燃焼時にバーナキャップ３３の嵌合筒部３３ｃ内から炎孔の上方へと流れる二次空気との接触面積が増加すると共に、バーナボディ３２の空間から炎孔へと流れる混合気との接触面積が増加する。これにより、バーナキャップ３３がその上面及び下面で効率よく冷却されてバーナキャップ３３が融点以上に過熱されることはない。
【００２３】
上記に加えて、調理時に煮汁がバーナキャップ３３の上面に落下し、バーナキャップ３３の上面が急冷されて熱収縮しても、上記第１及び第２の各突条３３ｄ、３３ｅが補強リブとして機能することで、バーナキャップ３３に反りが生じることを確実に防止できる。その結果、バーナボディ３２のフランジ部３２ｃに、バーナキャップ３３の筒壁部３３ａがその周方向全体に亘って着座した状態に常時保持され、第１の突条３３ｄ相互の間隙を通って二次空気が炎孔の上方へと導かれることと相俟って常時安定燃焼させることが可能となる。そして、第２の突条３３ｅが第１の突条３３ｄ相互の間に位置していることで、バーナ燃焼時にバーナキャップ３３に温度むらが生じることを防止できる。
【００２４】
ところで、第１及び第２の各突条３３ｄ、３３ｅは、上記実施形態のように、嵌合筒部３３ｃの上端からバーナキャップ３３の径方向略中央部まで延設されていれば十分であり、バーナキャップ３３の外周端まで延設しておく必要はない。即ち、コンロ用バーナ３の燃焼時、炎孔３３ｂの近傍が最も加熱されるが、アルミニウムは熱伝導性がよいため、第１の突条３３ｄ、３３ｅを形成した領域が冷却されていれば、この領域や嵌合筒部３３ｃへの熱引けにより炎孔３３ｂの近傍が冷却されることで、融点以上に過熱されることはない。特に、本実施形態のように、嵌合筒部３３ｃをシール部３２ｄの下方まで延出させておけば、バーナ燃焼時、嵌合筒部３３ｃがその内部を流れる二次空気により一層冷却されるため、嵌合筒部３３ｃへの熱引け量が多くなる。その結果、バーナキャップ３３の炎孔３３ｂ近傍の温度上昇がより一層抑制される。
【００２５】
以上、本実施の形態のコンロ用バーナについて説明したが、本発明は、上記のものに限定されるものではない。例えば、第１及び第２の各突条３３ｄ、３３ｅを形成する数等は、バーナの能力等を考慮して適宜選択でき、また、第１の突条３３ｄのみを設けた構成とすることもできる。
【符号の説明】
【００２６】
３…コンロ用バーナ、３１…混合管、３２…バーナボディ、３３…バーナキャップ、３３ｂ…溝（炎孔画成用）、３３ｃ…嵌合筒部（筒部）、３３ｄ…第１の突条、３３ｅ…第２の突条
【図１】
0005469382.tif 000002
【図２】
0005469382.tif 000003
【図３】
0005469382.tif 000004
【図４】
0005469382.tif 000005